(57)【要約】  本発明の実施形態は、それぞれ異なるＡＢＳ送信電圧下のＣＲＥバイアスを適正に構成するためにセル範囲拡大バイアスを構成するための方法、デバイス、およびシステムを開示する。本発明の実施形態における方法は、第１の基地局が、それぞれ異なるＡＢＳ送信電力下のセル範囲拡大バイアスを決定するステップと、前記第１の基地局が、それぞれ異なるＡＢＳ送信電力下の前記セル範囲拡大バイアスを第２の基地局またはネットワーク管理システムへ送信するステップと、を含む。
2015516126.tif 000002
【特許請求の範囲】
【請求項１】
セル範囲拡大バイアスを構成するための方法であって、
第１の基地局が、それぞれ異なるオールモスト・ブランク・サブフレームＡＢＳ送信電力下のセル範囲拡大バイアスを決定するステップと、
前記第１の基地局が、前記それぞれ異なるＡＢＳ送信電力下の前記セル範囲拡大バイアスを、第２の基地局またはネットワーク管理システムへ送信するステップと、を備える方法。
【請求項２】
請求項１に記載の方法であって、前記第１の基地局が、それぞれ異なるＡＢＳ送信電力下のセル範囲拡大バイアスを決定する前記ステップは、
前記第１の基地局が、前記それぞれ異なるＡＢＳ送信電力下の前記セル範囲拡大バイアスを、ネットワーク容量最大化原理またはユーザ装置ＵＥのセル間ハンドオーバ性能に従って決定するステップを含む、
方法。
【請求項３】
請求項２に記載の方法であって、前記第１の基地局が、前記それぞれ異なるＡＢＳ送信電力下の前記セル範囲拡大バイアスを、ネットワーク容量最大化原理またはユーザ装置ＵＥのセル間ハンドオーバ性能に従って決定する前記ステップは、
前記第１の基地局が、前記それぞれ異なるＡＢＳ送信電力下の前記セル範囲拡大バイアスの予め設定された初期範囲に従って計算されるネットワーク容量に従って、前記それぞれ異なるＡＢＳ送信電力下の最大化ネットワーク容量を伴う前記セル範囲拡大バイアスを決定するステップか、または、
前記第１の基地局が、前記ＵＥの前記セル間ハンドオーバ性能の予め設定された閾値に従って、前記それぞれ異なるＡＢＳ送信電力下の前記セル範囲拡大バイアスの前記予め設定された初期範囲の最大値を決定するステップ、を含む、
方法。
【請求項４】
請求項３に記載の方法であって、前記第１の基地局が、前記それぞれ異なるＡＢＳ送信電力下の前記セル範囲拡大バイアスの予め設定された初期範囲に従って計算されるネットワーク容量に従って、前記それぞれ異なるＡＢＳ送信電力下の最大化ネットワーク容量を伴う前記セル範囲拡大バイアスを決定する前記ステップは、
前記第１の基地局が、予め設定されたステップに従って、前記ネットワーク容量を計算するために、前記それぞれ異なるＡＢＳ送信電力下の前記セル範囲拡大バイアスの前記予め設定された初期範囲を横断するステップと、
前記第１の基地局が、前記ネットワーク容量に従って、前記それぞれ異なるＡＢＳ送信電力下の前記最大化ネットワーク容量を伴う前記セル範囲拡大バイアスを決定するステップと、を含む、
方法。
【請求項５】
請求項２乃至４のいずれか１項に記載の方法であって、
前記それぞれ異なるＡＢＳ送信電力下の前記セル範囲拡大バイアスの前記予め設定された初期範囲は、前記第２の基地局または前記ネットワーク管理システムによって予め設定される、
方法。
【請求項６】
請求項１乃至５のいずれか１項に記載の方法であって、該方法は、
前記第１の基地局が、前記それぞれ異なるＡＢＳ送信電力下の前記セル範囲拡大バイアスに対応する前記それぞれ異なるＡＢＳ送信電力に関する情報を、前記第２の基地局または前記ネットワーク管理システムへ送信するステップ、および／または、
マルチ・キャリア・システムにおいて、前記第１の基地局が、前記それぞれ異なるＡＢＳ送信電力下の前記セル範囲拡大バイアスに対応するキャリア情報を、前記第２の基地局または前記ネットワーク管理システムへ送信するステップ、をさらに備える、
方法。
【請求項７】
セル範囲拡大バイアスを構成するための方法であって、
第２の基地局またはネットワーク管理システムが、それぞれ異なるオールモスト・ブランク・サブフレームＡＢＳ送信電力下のセル範囲拡大バイアスを受信するステップと、
前記第２の基地局または前記ネットワーク管理システムが、前記それぞれ異なるＡＢＳ送信電力下の前記セル範囲拡大バイアスに従って、第１の基地局のためのそれぞれ異なるＡＢＳ送信電力下のセル範囲拡大バイアスを構成するステップと、を備え、
それぞれ異なるＡＢＳ送信電力下の前記セル範囲拡大バイアスは、前記第１の基地局によって決定される、方法。
【請求項８】
請求項７に記載の方法であって、第２の基地局またはネットワーク管理システムが、それぞれ異なるＡＢＳ送信電力下のセル範囲拡大バイアスを受信する前記ステップが、
前記第２の基地局がＸ２インターフェイスを介して、前記オールモスト・ブランク・サブフレームＡＢＳ送信電力下の前記セル範囲拡大バイアスを受信するステップ、または、
前記ネットワーク管理システムがノースバウンド・インターフェイスを介して、前記オールモスト・ブランク・サブフレームＡＢＳ送信電力下の前記セル範囲拡大バイアスを受信するステップ、を含む、
方法。
【請求項９】
セル範囲拡大バイアスを構成するためのデバイスであって、
それぞれ異なるオールモスト・ブランク・サブフレームＡＢＳ送信電力下のセル範囲拡大バイアスを決定するように適応した決定ユニットと、
前記それぞれ異なるオールモスト・ブランク・サブフレーム送信電力下の前記セル範囲拡大バイアスを第２の基地局またはネットワーク管理システムへ送信するように適応した送信ユニットと、を備えるデバイス。
【請求項１０】
請求項９に記載のデバイスであって、
前記決定ユニットは、ネットワーク容量最大化原理またはユーザ装置ＵＥのセル間ハンドオーバ性能に従って、前記それぞれ異なるＡＢＳ送信電力下の前記セル範囲拡大バイアスを決定するように特に適応している、
デバイス。
【請求項１１】
請求項９または１０に記載のデバイスであって、
前記決定ユニットは、前記それぞれ異なるＡＢＳ送信電力下の前記セル範囲拡大バイアスの予め設定された初期範囲に従って計算されたネットワーク容量に従って、それぞれ異なるＡＢＳ送信電力下の最大化ネットワーク容量を伴うセル範囲拡大バイアスを決定するように特に適応しているか、または、
前記ＵＥの前記セル間ハンドオーバ性能の予め設定された閾値に従って、前記それぞれ異なるＡＢＳ送信電力下の前記セル範囲拡大バイアスの前記予め設定された初期範囲の最大値を決定するように特に適応している、
デバイス。
【請求項１２】
請求項９乃至１１のいずれか１項に記載のデバイスであって、
該デバイスは、
予め設定されたステップに従って、前記ネットワーク容量を計算するために、前記それぞれ異なるＡＢＳ送信電力下の前記セル範囲拡大バイアスの前記予め設定された初期範囲を横断するように適応した横断ユニットをさらに備え、
前記決定ユニットは、前記ネットワーク容量に従って、前記それぞれ異なるＡＢＳ送信電力下の前記最大化ネットワーク容量を伴う前記セル範囲拡大バイアスを決定するようにさらに構成されている、
デバイス。
【請求項１３】
請求項９乃至１２のいずれか１項に記載のデバイスであって、
前記送信ユニットは、前記それぞれ異なるＡＢＳ送信電力下の前記セル範囲拡大バイアスに対応する前記それぞれ異なるＡＢＳ送信電力に関する情報を、前記第２の基地局または前記ネットワーク管理システムへ送信するように特に適応しているか、および／または、
マルチ・キャリア・システムにおいて、前記それぞれ異なるＡＢＳ送信電力下の前記セル範囲拡大バイアスに対応するキャリア情報を、前記第２の基地局または前記ネットワーク管理システムへ送信するように特に適応している、
デバイス。
【請求項１４】
セル範囲拡大バイアスを構成するためのデバイスであって、
それぞれ異なるオールモスト・ブランク・サブフレームＡＢＳ送信電力下のセル範囲拡大バイアスを受信するように適応した受信ユニットと、
前記それぞれ異なるＡＢＳ送信電力下の前記セル範囲拡大バイアスに従って、第１の基地局のための、それぞれ異なるＡＢＳ送信電力下のセル範囲拡大バイアスを構成するように適応した構成ユニットと、を備え、
それぞれ異なるＡＢＳ送信電力下の前記セル範囲拡大バイアスは、前記第１の基地局によって決定される、デバイス。
【請求項１５】
請求項１４に記載のデバイスであって、
前記受信ユニットは、Ｘ２インターフェイスまたはノースバウンド・インターフェイスを介して、前記それぞれ異なるオールモスト・ブランク・サブフレームＡＢＳ送信電力下の前記セル範囲拡大バイアスを受信するようにさらに適応している、
デバイス。
【請求項１６】
セル範囲拡大バイアスを構成するためのシステムであって、
それぞれ異なるオールモスト・ブランク・サブフレームＡＢＳ送信電力下のセル範囲拡大バイアスを決定し、前記それぞれ異なるオールモスト・ブランク・サブフレームＡＢＳ送信電力下の前記セル範囲拡大バイアスを、第２の基地局またはネットワーク管理システムへ送信するように適応した第１の基地局と、
前記それぞれ異なるオールモスト・ブランク・サブフレームＡＢＳ送信電力下の前記セル範囲拡大バイアスを受信し、前記それぞれ異なるＡＢＳ送信電力下の前記セル範囲拡大バイアスに従って、前記第１の基地局のための、それぞれ異なるＡＢＳ送信電力下のセル範囲拡大バイアスを構成するように適応した前記第２の基地局または前記ネットワーク管理システムと、を備え、
それぞれ異なるＡＢＳ送信電力下の前記セル範囲拡大バイアスは、前記第１の基地局によって決定される、
システム。
【発明の詳細な説明】
【技術分野】
【０００１】
本特許出願は、通信分野に関し、特に、セル範囲拡大バイアスを構成するための方法、デバイス、およびシステムに関する。
【背景技術】
【０００２】
第３世代パートナーシップ・プロジェクト（３ＧＰＰ、Ｔｈｅ  ３ｒｄ  Ｇｅｎｅｒａｔｉｏｎ  Ｐａｒｔｎｅｒｓｈｉｐ  Ｐｒｏｊｅｃｔ）は、異機種ネットワークに対してセル範囲拡大（ＣＲＥ、Ｃｅｌｌ  Ｒａｎｇｅ  Ｅｘｐａｎｓｉｏｎ）を導入する。ピコ・セル（Ｐｉｃｏ  Ｃｅｌｌ）のセル範囲拡大バイアス（ＣＲＥバイアス）を調整することにより、マクロ・セルにおけるピコ・セルのセル範囲拡大が実装され、周波数スペクトルの利用効率を改善し、ネットワーク容量を増加するように、マクロ・セルの負荷を軽減するためにマクロ・セル内のＵＥはピコ・セルへとさらにオフロードされる。一方、ピコ・セルのＣＲＥ拡大の利用後、ＭｅＮＢは、ピコＣＲＥ拡大エリア内のＵＥを深刻に干渉する。干渉問題を解決するために、３ＧＰＰは、時間領域におけるセル間干渉協調の拡張（ｅＩＣＩＣ、Ｅｎｈａｎｃｅｍｅｎｔ  ｏｆ  ｔｈｅ  Ｉｎｔｅｒ−Ｃｅｌｌ  Ｉｎｔｅｒｆｅｒｅｎｃｅ  Ｃｏｏｒｄｉｎａｔｉｏｎ）の干渉協調の仕組み、すなわち、基地局の混成展開の時の制御チャネル干渉問題の解決を目的としたオールモスト・ブランク・サブフレーム（ＡＢＳ、Ａｌｍｏｓｔ  Ｂｌａｎｋ  Ｓｕｂｆｒａｍｅ）を導入する。
【０００３】
従来技術においては、ピコ・セルのＣＲＥバイアスのための構成解決策は、ＭｅＮＢカバレージ内のピコ・セルに対してＣＲＥバイアスを統一された方法で構成することである。
【０００４】
しかし、もし、ＣＲＥバイアスが、それぞれ異なるピコ・セルに対して統一された値であるならば、ＣＲＥバイアスが比較的小さい値に構成されるとき、ピコ・セルのＣＲＥ範囲は小さく、マクロ・セルのＵＥはピコ・セルにほとんど乗せ換えられることはなく、それは、マクロ・セルの負荷を削減するためには有益ではなく、ＣＲＥバイアスが比較的大きい値に構成されるとき、ピコ・セルに乗せ換えられたＵＥの信号対干渉プラス雑音比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）は、ＵＥの制御チャネル復号の最小ＳＩＮＲよりも小さくあり得、ＵＥの呼が落ちる原因となる。
【発明の概要】
【０００５】
本発明の実施形態は、セル範囲拡大バイアスを構成して、第１の基地局によって決定されたＣＲＥバイアスに従ってＣＲＥバイアスを構成するようにするための方法、デバイスおよびシステムを提供し、それによって、第１の基地局のためのＣＲＥバイアスの統一された構成に起因する、ネットワーク資源の浪費またはＵＥの呼落ちを回避する。
【０００６】
本発明の一実施形態によって提供されるセル範囲拡大バイアスを構成するための方法は、第１の基地局が、それぞれ異なるオールモスト・ブランク・サブフレームＡＢＳ送信電力下のセル範囲拡大バイアスを決定するステップと、前記第１の基地局が、前記それぞれ異なるオールモスト・ブランク・サブフレームＡＢＳ送信電力下の前記セル範囲拡大バイアスを第２の基地局またはネットワーク管理システムに送信するステップと、を含む。
【０００７】
本発明の一実施形態によって提供されるセル範囲拡大バイアスを構成するための方法は、第２の基地局またはネットワーク管理システムが、それぞれ異なるオールモスト・ブランク・サブフレームＡＢＳ送信電力下のセル範囲拡大バイアスを受信するステップと、前記第２の基地局または前記ネットワーク管理システムが、それぞれ異なるＡＢＳ送信電力下の前記セル範囲拡大バイアスにしたがって、第１の基地局のためのそれぞれ異なるＡＢＳ送信電力下のセル範囲拡大バイアスを構成するステップであり、それぞれ異なるＡＢＳ送信電力下の前記セル範囲拡大バイアスは、前記第１の基地局によって決定される、構成するステップと、を含む。
【０００８】
本発明の一実施形態によって提供されるセル範囲拡大バイアスを構成するためのデバイスは、それぞれ異なるオールモスト・ブランク・サブフレームＡＢＳ送信電力下のセル範囲拡大バイアスを決定するように適応した決定ユニットと、前記それぞれ異なるオールモスト・ブランク・サブフレームＡＢＳ送信電力下の前記セル範囲拡大バイアスを第２の基地局またはネットワーク管理システムに送信するように適応した送信ユニットと、を含む。
【０００９】
本発明の一実施形態によって提供されるセル範囲拡大バイアスを構成するためのデバイスは、それぞれ異なるオールモスト・ブランク・サブフレームＡＢＳ送信電力下のセル範囲拡大バイアスを受信するように適応した受信ユニットと、それぞれ異なるＡＢＳ送信電力下の前記セル範囲拡大バイアスにしたがって、第１の基地局のためのそれぞれ異なるＡＢＳ送信電力下のセル範囲拡大バイアスを構成するように適応した構成ユニットであり、それぞれ異なるＡＢＳ送信電力下の前記セル範囲拡大バイアスは、前記第１の基地局によって決定される、構成ユニットと、を含む。
【００１０】
本発明の一実施形態によって提供されるセル範囲拡大バイアスを構成するためのシステムは、それぞれ異なるオールモスト・ブランク・サブフレームＡＢＳ送信電力下のセル範囲拡大バイアスを決定し、それぞれ異なるオールモスト・ブランク・サブフレームＡＢＳ送信電力下の前記セル範囲拡大バイアスを、第２の基地局またはネットワーク管理システムに送信するように適応した第１の基地局と、それぞれ異なるオールモスト・ブランク・サブフレームＡＢＳ送信電力下の前記セル範囲拡大バイアスを受信し、それぞれ異なるオールモスト・ブランク・サブフレームＡＢＳ送信電力下の前記セル範囲拡大バイアスにしたがって、前記第１の基地局のためのそれぞれ異なるオールモスト・ブランク・サブフレームＡＢＳ送信電力下のセル範囲拡大バイアスを構成するように適応した前記第２の基地局または前記ネットワーク管理システムであり、それぞれ異なるＡＢＳ送信電力下の前記セル範囲拡大バイアスは、前記第１の基地局によって決定される、前記第２の基地局または前記ネットワーク管理システムと、を含む。
【００１１】
上述の技術的解決策から、本発明の実施形態は、以下の有利な点を備えていることがわかる。第１の基地局が、それぞれ異なるＡＢＳ送信電力下のＣＲＥバイアスを決定し、それぞれ異なるオールモスト・ブランク・サブフレームの下の前記セル範囲拡大バイアスを第２の基地局またはネットワーク管理システムに送信する。したがって、前記第１の基地局は、それぞれ異なるＡＢＳ送信電力下の前記ＣＲＥバイアスを決定し、前記ＣＲＥバイアスを前記第２の基地局または前記ネットワーク管理システムに送信し、前記第２の基地局または前記ネットワーク管理システムは、前記第１の基地局によって決定された前記ＣＲＥバイアスに従ってＣＲＥバイアスをそれぞれ構成し、前記ＣＥＲバイアスの構成がより適正になり、それによって、小さ過ぎるＣＲＥバイアスに起因するネットワーク資源の浪費、または、大き過ぎるＣＲＥバイアスに起因するＵＥの呼落ちを回避する。
【図面の簡単な説明】
【００１２】
【図１】本発明の一実施形態に従ったセル範囲拡大バイアスを構成するための方法の一実施形態の概略図である。
【００１３】
【図２】本発明の一実施形態に従った典型的なアプリケーション・シナリオのネットワーク構造の概略図である。
【００１４】
【図３】本発明の一実施形態に従ったセル範囲拡大バイアスを構成するための方法の他の実施形態の概略図である。
【００１５】
【図４】本発明の一実施形態に従ったセル範囲拡大バイアスを構成するための方法の他の実施形態の概略図である。
【００１６】
【図５】本発明の一実施形態に従ったセル範囲拡大バイアスを構成するためのデバイスの一実施形態の概略図である。
【００１７】
【図６】本発明の一実施形態に従ったセル範囲拡大バイアスを構成するためのデバイスの他の実施形態の概略図である。
【００１８】
【図７】本発明の一実施形態に従ったセル範囲拡大バイアスを構成するためのデバイスの他の実施形態の概略図である。
【００１９】
【図８】本発明の一実施形態に従ったセル範囲拡大バイアスを構成するためのシステムの一実施形態の概略図である。
【発明を実施するための形態】
【００２０】
ＣＲＥバイアス値は複数の要因によって影響され、例えば、ＡＢＳ及び非オールモスト・ブランク・サブフレーム（Ｎｏｎ−ＡＢＳ、Ｎｏｎ  Ａｌｍｏｓｔ  Ｂｌａｎｋ  Ｓｕｂｆｒａｍｅ）はそれぞれ異なる電力を有し、ピコ・セルとＭｅＮＢはそれぞれ異なるパスロスを有するので、ピコ・セルは、ＡＢＳおよび非ＡＢＳにおいてそれぞれ異なる干渉を受け、同時に、ピコ・セルとＭｅＮＢはそれぞれ異なる負荷を有し、そして、ＣＲＥバイアスは、ＭｅＮＢとピコ・セルとの間のユーザ・ハンドオーバについてそれぞれ異なる性能要件を有する。したがって、本発明の実施形態は、それぞれ異なるＡＢＳ送信電力下のＣＲＥバイアスを適正に構成するように、セル範囲拡大バイアスを構成するための方法、デバイス、およびシステムを提供し、それにより、ＣＲＥバイアスが過小または過大な値に構成されることに起因するネットワーク資源の浪費またはＵＥの呼落ちを回避する。
【００２１】
図１を参照して、本発明の一実施形態によって提供されるセル範囲拡大バイアスを構成するための方法の実施形態は、以下を含む。
【００２２】
１０１．第１の基地局が、それぞれ異なるオールモスト・ブランク・サブフレームＡＢＳ送信電力下のセル範囲拡大バイアスを決定するステップ。
【００２３】
セル範囲拡大バイアスは、第２の基地局またはネットワーク管理システムによって、前記第１の基地局のためのそれぞれ異なるＡＢＳ送信電力下のセル拡大バイアスを構成するために使用される。
【００２４】
１０２．前記第１の基地局が、それぞれ異なるオールモスト・ブランク・サブフレーム送信電力下の前記セル範囲拡大バイアスを、前記第２の基地局または前記ネットワーク管理システムに送信するステップ。
【００２５】
本発明の実施形態において、前記第１の基地局は、前記それぞれ異なるオールモスト・ブランク・サブフレームＡＢＳ送信電力下の前記セル範囲拡大バイアスを決定し、ここで、前記セル範囲拡大バイアスは、前記第２の基地局または前記ネットワーク管理システムによって、前記第１の基地局のための前記それぞれ異なるＡＢＳ送信電力下の前記セル範囲拡大バイアスの異なる構成を実行するために使用され、前記第１の基地局は、それぞれ異なるＡＢＳ送信電力下の前記セル範囲拡大バイアスを、前記第２の基地局または前記ネットワーク管理システムに送信する。したがって、前記第１の基地局は、前記第１の基地局自身のための前記それぞれ異なるＡＢＳ送信電力下の前記ＣＲＥバイアスを決定し、前記ＣＲＥバイアスを、前記第２の基地局または前記ネットワーク管理システムに送信し、前記第２の基地局または前記ネットワーク管理システムは、前記第１の基地局によって決定された前記ＣＲＥバイアスにそれぞれ従って前記ＣＲＥバイアスを構成する。このようにして、前記ＣＲＥバイアスはより適正であり、それは、統一的な方法で構成された小さ過ぎるＣＲＥバイアスに起因するネットワーク資源の浪費、または、統一的な方法で構成された大き過ぎるＣＲＥバイアスに起因するＵＥの呼落ちを削減することができる。
【００２６】
図２は、本発明の一実施形態に従った典型的なアプリケーション・シナリオのネットワーク構造の概略図を示し、ここでは、第１の基地局は１以上のピコ（Pico）であり得、第２の基地局はまた１以上のＭｅＮＢであり得る。図３は、ＭｅＮＢおよびピコを含むハイブリッド・ネットワークのシナリオである。複数のピコ・セルが、１つのＭｅＮＢのカバレージ内で展開される。本発明の実施形態においては、第２の基地局はＭｅＮＢであるが、第２の基地局はこのタイプの基地局に限定されず、比較的高い送信電力を伴う任意の他の基地局であり得る。同様に、第１の基地局はピコに限定されず、マイクロ基地局（Ｍｉｃｒｏ  ＢＳ、Ｍｉｃｒｏ  Ｂａｓｅ  Ｓｔａｔｉｏｎ）、ホーム基地局（Ｈｏｍｅ  ＢＳ、Ｈｏｍｅ  Ｂａｓｅ  Ｓｔａｔｉｏｎ）、ホーム基地局（Ｆｅｍｔｏ  ＢＳ、Ｆｅｍｔｏ  Ｂａｓｅ  Ｓｔａｔｉｏｎ）、および中継基地局（Ｒｅｌａｙ  ＢＳ、Ｒｅｌａｙ  Ｂａｓｅ  Ｓｔａｔｉｏｎ）等の比較的低い送信電力を伴う任意の他の基地局であり得る。
【００２７】
図３を参照して、本発明の一実施形態によって提供されるセル範囲拡大バイアスを構成するための方法の他の実施形態は、以下を含む。
【００２８】
３０１．ピコ・セルが、ネットワーク容量最大化原理またはユーザ装置ＵＥのセル間ハンドオーバ性能に従って、それぞれ異なるＡＢＳ送信電力下のセル範囲拡大バイアスを決定するステップ。
【００２９】
例えば、ピコ・セルは、それぞれ異なるＡＢＳ送信電力下のＣＲＥバイアスの予め設定された初期範囲に従って計算されたネットワーク容量に従って、それぞれ異なるＡＢＳ送信電力下の最大化ネットワーク容量を伴うＣＲＥバイアスを決定する。ここで、それぞれ異なるＡＢＳ送信電力下のＣＲＥバイアスの予め設定された初期範囲は、第２の基地局またはネットワーク管理システムによって予め設定され得る。
【００３０】
さらに、ピコ・セルは、予め設定されたステップに従って、ネットワーク容量を計算するためのそれぞれ異なるＡＢＳ送信電力下のＣＲＥバイアスの予め設定された初期範囲を横断し、それぞれ異なるＣＲＥバイアス下で計算されたネットワーク容量に従って、それぞれ異なるＡＢＳ送信電力下の最大化ネットワーク容量に伴うＣＲＥバイアスを決定することができる。
【００３１】
ＣＲＥバイアスの予め設定された初期範囲は、最大化システム容量に対応する値であり得、最大化ネットワーク容量に伴うＣＲＥバイアスは、ＣＲＥバイアスの初期範囲内のネットワーク・スループットまたはスペクトル効率最適化値を使用して測定され得る。最大化ネットワーク容量に伴って設定されるＣＲＥバイアス確定値は、以下のようにして取得することができる。ＵＥによって測定されたセルおよび隣接セルのＲＳＲＰ情報に従ったそれぞれ異なるＣＲＥバイアス値下のネットワーク容量を推定して、ネットワーク容量を最大化するＣＲＥバイアスを決定する。例えば、０．５ｄＢのステップで、ＣＲＥバイアスの予め設定された初期範囲内の、０から最大構成可能ＣＲＥバイアス値までを横断して、ネットワーク容量を最大化するＣＲＥバイアス値を決定する。
【００３２】
ＣＲＥバイアスを決定するために、マクロ基地局とピコ・セルとの間のＵＥのハンドオーバ性能の閾値に従って、第１の基地局のためのそれぞれ異なるＡＢＳ送信電力下の、第２の基地局またはネットワーク管理システムによって構成されたＣＲＥバイアスとして、セル拡大バイアスの最大値が決定される。ハンドオーバ性能閾値は、要件に従って予め設定され得、ハンドオーバ成功率閾値、ＵＥ呼落ち率閾値、およびマクロ基地局とピコ・セルとの間のピンポン・ハンドオーバ率閾値を含み得る。具体的には、ハンドオーバ成功率の最小閾値、呼落ち率の最大閾値、および、ピンポン・ハンドオーバ率の最大閾値、に対応するＣＲＥバイアスがピコ・セルのＣＲＥバイアスとして使用され得る。
【００３３】
オプション的に、それぞれ異なるＡＢＳ送信電力下で、第１の基地局は、第１の基地局のカバレージ内のＵＥによって測定されたＳＩＮＲ情報に従ってＣＲＥバイアスを決定する。具体的には、マクロ基地局のユーザがＣＲＥバイアスに従って第１の基地局へ乗せ換えられ、ここで、ＣＲＥバイアスは、呼落ちがユーザに発生しないように、マクロ基地局ユーザに対して第１の基地局によって提供されるＳＩＮＲが、ユーザの復号制御チャネルによって要求される最小ＳＩＮＲ以上であるという要件を満たす。
【００３４】
３０２．ピコ・セルが、それぞれ異なるＡＢＳ送信電力下のセル範囲拡大バイアスに対応するそれぞれ異なるＡＢＳ送信電力に関する情報を、第２の基地局またはネットワーク管理システムに送信するステップ。
【００３５】
シングル・キャリア・システムにおいて、ピコ・セルは、それぞれ異なるＡＢＳ送信電力下のセル範囲拡大バイアスに対応するそれぞれ異なるＡＢＳ送信電力に関する情報を、第２の基地局またはネットワーク管理システムに送信する。
【００３６】
しかし、マルチ・キャリア・システムにおいて、ピコ・セルは、第２の基地局またはネットワーク管理システムが、第１の基地局のためのそれぞれ異なるキャリア下のそれぞれ異なるＡＢＳ送信電力下のＣＲＥバイアスを構成することができるように、それぞれ異なるＡＢＳ送信電力下のセル範囲拡大バイアスに対応するキャリア情報もまた、第２の基地局またはネットワーク管理システムに送信する。
【００３７】
さらに、第１の基地局は、Ｘ２インターフェイスを介して、それぞれ異なるＡＢＳ送信電力下のＣＲＥバイアスに対応するそれぞれ異なるＡＢＳ送信電力に関する情報を、第２の基地局に送信するか、または、ノースバウンド・インターフェイス（Ｎｏｒｔｈｂｏｕｎｄ  Ｉｎｔｅｒｆａｃｅ）を介して、それぞれ異なるＡＢＳ送信電力下のＣＲＥバイアスに対応するそれぞれ異なるＡＢＳ送信電力に関する情報を、ネットワーク管理システムに送信する。ノースバウンド・インターフェイスは、他のベンダーまたは事業者がアクセスおよび管理を実行するために提供されるインターフェイスであり、上位ネットワーク管理システムからの要求パケットを処理する責任がある。
【００３８】
一実装方法として、ピコ・セルはまた、最大化ネットワーク容量に従ったセル拡大バイアスに関する情報に従ったセル範囲拡大バイアス・リストを生成し得、該リストを第２の基地局またはネットワーク管理システムに送信し得る。
【００３９】
留意すべきは、セル範囲拡大バイアス・リストが、第１の基地局と第２の基地局との間でＡＢＳ電力レベルが規定されていないときのそれぞれ異なるＡＢＳ電力および対応するＣＲＥバイアスを含むということである。
【表１】
2015516126.tif 000003
【００４０】
さらに、マルチ・キャリア・システムにおける、それぞれ異なるメンバー・キャリア下のセル範囲拡大バイアス・リストの具体的な形が表２に示されている。
【表２】
2015516126.tif 000004
【００４１】
具体的に、セル拡大バイアス・リストは、第１の基地局と第２の基地局との間でＡＢＳ電力レベルが規定されているときのＣＲＥバイアスのシーケンスを含む。セル拡大バイアス・リストの具体的な形が表３に示されている。
【表３】
2015516126.tif 000005
【００４２】
さらに、マルチ・キャリア・システムにおける、それぞれ異なるメンバー・キャリア下のセル拡大バイアス・リストの具体的な形が表４に示されている。
【表４】
2015516126.tif 000006
【００４３】
上述のセル拡大バイアス・リストは、マクロ基地局へＸ２インターフェイスを介して送信されるか、または、上述のセル拡大バイアス・リストは、ネットワーク管理システムへノースバウンド・インターフェイスを介して送信され、そして、マクロ基地局またはネットワーク管理システムは、それぞれ異なるピコ・セル、それぞれ異なるＡＢＳ出力電力、および上述のリストに従って、ピコ・セルのＣＲＥを構成する。しかし、パラメータは上述のリストに従って取得されるだけでなく、また、上述の表１乃至４における内容は、単なる例に過ぎず、本発明を限定することを意図するものではない。
【００４４】
本発明の実施形態において、ピコ・セルは、ネットワーク容量最大化原理またはユーザ装置ＵＥのセル間ハンドオーバ性能に従って、それぞれ異なるＡＢＳ送信電力下のセル範囲拡大バイアスを決定する。したがって、それぞれ異なるＡＢＳ送信電力の下で、ネットワーク容量最大化またはＵＥのセル間ハンドオーバ性能が測定され、それぞれ異なるピコ・セルにおいて決定されるＣＲＥバイアスは、現在のピコ・セル・ネットワーク状態とより一致し、より適正に構成される。その後、決定されたＣＲＥバイアスはマクロ基地局へＸ２インターフェイスを介して送信され、または、ネットワーク管理システムへノースバウンド・インターフェイスを介して送信され、そのため、マクロ基地局またはネットワーク管理システムは、ピコ・セルのＣＲＥを、それぞれ異なるＡＢＳ出力電力下およびそれぞれ異なるピコ・セル内のＣＥＲバイアス間のマッピングに従って構成し、それによって、マクロ基地局またはネットワーク管理システムがピコ・セルのための構成を実行するときに、統一された方法で構成された小さすぎるＣＲＥバイアスに起因するネットワーク資源の浪費、または、統一された方法で構成された大きすぎるＣＲＥバイアスに起因するＵＥの呼落ちを回避する。
【００４５】
前述のセル範囲拡大バイアスを構成する方法は第１の基地局側から説明されている。以下では、該方法を第２の基地局側から説明する。図４を参照して、本発明の一実施形態によって提供されるセル範囲拡大バイアスを構成する方法の別の実施形態は以下を含む。
【００４６】
４０１．第２の基地局が、それぞれ異なるオールモスト・ブランク・サブフレーム送信電力下のセル範囲拡大バイアスを受信するステップ。
【００４７】
それぞれ異なるＡＢＳ送信電力下のセル範囲拡大バイアスは、第１の基地局によって決定される。
【００４８】
さらに、第２の基地局が、Ｘ２インターフェイスを介して、それぞれ異なるＡＢＳ送信電力下のセル範囲拡大バイアスを受信する。
【００４９】
４０２．第２の基地局が、それぞれ異なるＡＢＳ送信電力下のセル範囲拡大バイアスに従って、第１の基地局のためのそれぞれ異なるＡＢＳ送信電力下のセル範囲拡大バイアスを構成するステップ。
【００５０】
本発明の実施形態において、第２の基地局は、それぞれ異なるＡＢＳ送信電力下のセル範囲拡大バイアスを受信する。具体的には、第２の基地局は、Ｘ２インターフェイスを介して、それぞれ異なるＡＢＳ送信電力下のセル範囲拡大バイアスを受信する。それぞれ異なるＡＢＳ送信電力下のＣＥＲバイアスは第１の基地局によって決定され、第２の基地局は、第１の基地局自身によって決定されたＣＥＲバイアスに従った構成を実行するので、ＣＥＲバイアスは、より適正であり、それによって、小さすぎるＣＲＥバイアスに起因するネットワーク資源の浪費、または、大きすぎるＣＲＥバイアスに起因するＵＥの呼落ちを回避する。
【００５１】
留意すべきは、上記において、第１の基地局のためのＣＲＥバイアスの構成は、第２の基地局によって実行され得、ネットワーク管理システムによっても実行され得るということである。ネットワーク管理システムは、ノースバウンド・インターフェイスを介して、それぞれ異なるＡＢＳ送信電力下のセル範囲拡大バイアスを受信し、それぞれ異なるＡＢＳ送信電力下のセル範囲拡大バイアスに従って、第１の基地局のための、それぞれ異なるＡＢＳ送信電力下のＣＲＥバイアスを構成する。
【００５２】
以下では、本発明の一実施形態に従ってセル範囲拡大バイアスを構成するためのデバイスを説明する。図５を参照して、本発明の一実施形態に従ってセル範囲拡大バイアスを構成するためのデバイスの一実施形態は、
それぞれ異なるＡＢＳ出力電力下のセル範囲拡大バイアスを決定するように適応した決定ユニット５０１と、
それぞれ異なるオールモスト・ブランク・サブフレームＡＢＳ送信電力下のセル範囲拡大バイアスを、第２の基地局またはネットワーク管理システムへ送信するように適応した送信ユニット５０２と、を含む。
【００５３】
本発明の実施形態において、セル範囲拡大バイアスを構成するためのデバイスのユニットが個々の機能を実装するための特定の処理に対して、図１に示された実施形態における関連する記載が参照され得、詳細はここでは繰り返されない。
【００５４】
本発明の実施形態において、決定ユニット５０１は、異ならるＡＢＳ出力電力下のセル範囲拡大バイアスを決定し、ここで、セル範囲拡大バイアスは、第２の基地局またはネットワーク管理システムによって、第１の基地局のセル範囲拡大バイアスを構成するために使用され、送信ユニット５０２は、それぞれ異なるＡＢＳ送信電力下のセル範囲拡大バイアスを第２の基地局またはネットワーク管理システムへ送信し、したがって、第１の基地局は、それぞれ異なるＡＢＳ送信電力下のＣＲＥバイアスを決定し、ＣＲＥバイアスを、第２の基地局またはネットワークシステムへ送信し、そして、第２の基地局またはネットワーク管理システムは、第１の基地局によって決定されたＣＲＥバイアスにそれぞれ従って、ＣＲＥバイアスを構成する。したがって、ＣＥＲバイアスの構成はより適正であり、それによって、小さすぎるＣＲＥバイアスに起因するネットワーク資源の浪費、または、大きすぎるＣＲＥバイアスに起因するＵＥの呼落ちを回避する。
【００５５】
より容易な理解のために、以下では、本発明の一実施形態に従ったセル範囲拡大バイアスを構成するためのデバイスが詳細に説明される。図６を参照して、本発明の一実施形態に従ったセル範囲拡大バイアスを構成するためのデバイスの別の実施形態は、
ネットワーク容量最大化原理またはＵＥのセル間ハンドオーバ性能に従って、それぞれ異なるＡＢＳ送信電力下のセル範囲拡大バイアスを決定するように適応した決定ユニット６０１と、
それぞれ異なるＡＢＳ送信電力下のセル範囲拡大バイアスを第２の基地局またはネットワーク管理システムへ送信するように適応した送信ユニット６０２と、を含む。
【００５６】
さらに、決定ユニット６０１は、それぞれ異なるＡＢＳ送信電力下の最大化ネットワーク容量を伴うセル範囲拡大バイアスを、それぞれ異なるＡＢＳ送信電力下のセル範囲拡大バイアスの予め設定された初期範囲に従って計算されたネットワーク容量に従って決定するように特に適応している。
【００５７】
決定ユニット６０１は、セル間ハンドオーバ性能の予め設定された閾値に従って、それぞれ異なるＡＢＳ送信電力下のセル範囲拡大バイアスの予め設定された初期範囲の最大値を決定するように適応し得る。
【００５８】
留意すべきは、本実施形態の実施形態に従ってセル範囲拡大バイアスを構成するためのデバイスは、
予め設定されたステップに従って、ネットワーク容量を計算するために、それぞれ異なるＡＢＳ送信電力下のセル範囲拡大バイアスの予め設定された初期範囲を横断するように適応した横断ユニット６０３をさらに含み得、
送信ユニット６０２は、ネットワーク容量に従って、それぞれ異なるＡＢＳ送信電力下の最大化ネットワーク容量に伴うＣＲＥバイアスを決定する。
【００５９】
送信ユニット６０２は、それぞれ異なるＡＢＳ送信電力下のセル範囲拡大バイアスに対応するそれぞれ異なるＡＢＳ送信電力に関する情報を、第２の基地局またはネットワーク管理システムに、特に送信するか、または、マルチ・キャリア・システムにおいて、送信ユニット６０２は、それぞれ異なるＡＢＳ送信電力下のセル範囲拡大バイアスに対応するキャリア情報を、第２の基地局またはネットワーク管理システムに送信する。
【００６０】
本発明の実施形態において、セル範囲拡大バイアスを構成するためのデバイスのユニットが個々の機能を実装するための特定の処理に対して、図１および図３に示された実施形態における関連する記載が参照され得、詳細はここでは繰り返されない。
【００６１】
本発明の実施形態に従ったデバイスは、実装されるべきそれぞれ異なる機能に従って、上述のユニットのそれぞれ異なる組合せを含み得る。
【００６２】
本発明の実施形態において、決定ユニット６０１は、ネットワーク容量最大化原理、または、ユーザ装置ＵＥのセル間ハンドオーバ性能に従って、それぞれ異なるＡＢＳ送信電力下のセル範囲拡大バイアスを決定する。したがって、それぞれ異なるＡＢＳ送信電力の下で、ネットワーク容量最大化またはＵＥのセル間ハンドオーバ性能が測定され、それぞれ異なるピコ・セルにおいて決定されるＣＲＥバイアスは、現在のピコ・セル・ネットワーク状態とより一致し、より適正に構成される。その後、送信ユニット６０２は、それぞれ異なるＡＢＳ出力電力下およびそれぞれ異なるピコ・セル内のＣＥＲバイアス間のマッピングに従ってピコ・セルのＣＲＥを構成するために、マクロ基地局へＸ２インターフェイスを介して、または、ネットワーク管理システムへノースバウンド・インターフェイスを介して、決定されたＣＲＥバイアスを送信する。これは、マクロ基地局またはネットワーク管理システムがピコ・セルのための構成を実行するとき、構成された小さ過ぎるＣＲＥバイアスに起因するネットワーク資源の浪費、または、構成された大きすぎるＣＲＥバイアスに起因するＵＥの呼落ちを回避する。
【００６３】
図７を参照して、本発明の一実施形態に従ったセル範囲拡大バイアスを構成するためのデバイスの別の実施形態は、
それぞれ異なるオールモスト・ブランク・サブフレームＡＢＳ送信電力下のセル範囲拡大バイアスを受信するように適応した受信ユニット７０１と、
それぞれ異なるＡＢＳ送信電力下のセル範囲拡大バイアスに従って、第１の基地局のためのそれぞれ異なるＡＢＳ送信電力下のセル範囲拡大バイアスを構成するように適応した構成ユニット７０２と、を含み、
それぞれ異なるＡＢＳ送信電力下のセル範囲拡大バイアスは、第１の基地局によって決定される。
【００６４】
さらに、受信ユニット７０１は、Ｘ２インターフェイスまたはノースバウンド・インターフェイスを介して、それぞれ異なるオールモスト・ブランク・サブフレームＡＢＳ送信電力下のセル範囲拡大バイアスを受信するようにさらに適応している。
【００６５】
本発明の実施形態において、セル範囲拡大バイアスを構成するためのデバイスのユニットが個々の機能を実装するための特定の処理に対して、図４に示された実施形態における関連する記載が参照され得、詳細はここでは繰り返されない。
【００６６】
本発明の実施形態において、それぞれ異なるＡＢＳ送信電力下のＣＥＲバイアスが第１の基地局によって決定され、第２の基地局が、第１の基地局自身によって決定されたＣＥＲバイアスに従って構成を実行するので、ＣＥＲバイアス構成はより適正であり、それによって、統一された方法で構成された小さすぎるＣＲＥバイアスに起因するネットワーク資源の浪費、または、統一された方法で構成された大きすぎるＣＲＥバイアスに起因するＵＥの呼落ちを回避する。
【００６７】
本発明の一実施形態は、セル範囲拡大バイアスを構成するためのシステムをさらに提供する。図８を参照して、セル範囲拡大バイアスを構成するためのシステムは、
第１の基地局８０１および第２の基地局８０２を含み、
第１の基地局８０１は、それぞれ異なるオールモスト・ブランク・サブフレームＡＢＳ送信電力下のセル範囲拡大バイアスを決定し、それぞれ異なるオールモスト・ブランク・サブレームＡＢＳ送信電力下のセル範囲拡大バイアスを、第２の基地局またはネットワーク管理システムへ送信するように適応しており、
第２の基地局８０２は、それぞれ異なるオールモスト・ブランク・サブフレームＡＢＳ送信電力下のセル範囲拡大バイアスを受信し、それぞれ異なるＡＢＳ送信電力下のセル範囲拡大バイアスに従って、第１の基地局のためのそれぞれ異なるＡＢＳ送信電力下のセル範囲拡大バイアスを構成するように適応しており、
それぞれ異なるＡＢＳ送信電力下のセル範囲拡大バイアスは、第１の基地局によって決定される。
【００６８】
留意されるべきは、上述の第２の基地局はまた、ネットワーク管理システムであり得ることである。
【００６９】
本発明の一実施形態は、記憶媒体と、セル範囲拡大バイアスを構成するための上述の方法を実装するためのコードと、を含む、セル範囲拡大バイアスを構成するための計算プログラム製品をさらに提供する。
【００７０】
上述の実施形態の方法におけるステップのすべてまたは一部は、関連するハードウェアに命令するプログラムによって実装され得るというこを当業者は理解すべきである。プログラムは、コンピュータ可読記憶媒体に格納され得、記憶媒体は、リード・オンリー・メモリ、磁気ディスク、または光ディスクであり得る。
【００７１】
本発明によって提供されるセル範囲拡大バイアスを構成するための方法、デバイス、およびシステムは、上述において詳細に説明されている。当業者は、本発明のアイデアに従った特定の実装およびアプリケーションの範囲の面において、本発明の派生および修正を行うことができる。したがって、明細書は、本発明の制限として解釈されてはならない。
【図１】
2015516126.tif 000007
【図２】
2015516126.tif 000008
【図３】
2015516126.tif 000009
【図４】
2015516126.tif 000010
【図５】
2015516126.tif 000011
【図６】
2015516126.tif 000012
【図７】
2015516126.tif 000013
【図８】
2015516126.tif 000014
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
セル範囲拡大バイアスを構成するための方法であって、
第１の基地局が、それぞれ異なるオールモスト・ブランク・サブフレーム（ＡＢＳ）送信電力下のセル範囲拡大バイアスを決定するステップと、
前記第１の基地局が、前記それぞれ異なるＡＢＳ送信電力下の前記セル範囲拡大バイアスを、第２の基地局またはネットワーク管理システムへ送信するステップと、を備える方法。
【請求項２】
請求項１に記載の方法であって、前記第１の基地局が、それぞれ異なるＡＢＳ送信電力下のセル範囲拡大バイアスを決定する前記ステップは、
前記第１の基地局が、前記それぞれ異なるＡＢＳ送信電力下の前記セル範囲拡大バイアスを、ネットワーク容量最大化原理またはユーザ装置（ＵＥ）のセル間ハンドオーバ性能に従って決定するステップを含む、
方法。
【請求項３】
請求項２に記載の方法であって、前記第１の基地局が、前記それぞれ異なるＡＢＳ送信電力下の前記セル範囲拡大バイアスを、ネットワーク容量最大化原理またはユーザ装置（ＵＥ）のセル間ハンドオーバ性能に従って決定する前記ステップは、
前記第１の基地局が、前記それぞれ異なるＡＢＳ送信電力下の前記セル範囲拡大バイアスの予め設定された初期範囲に従って計算されるネットワーク容量に従って、前記それぞれ異なるＡＢＳ送信電力下の最大化ネットワーク容量を伴う前記セル範囲拡大バイアスを決定するステップか、または、
前記第１の基地局が、前記ＵＥの前記セル間ハンドオーバ性能の予め設定された閾値に従って、前記それぞれ異なるＡＢＳ送信電力下の前記セル範囲拡大バイアスの前記予め設定された初期範囲の最大値を決定するステップ、を含む、
方法。
【請求項４】
請求項３に記載の方法であって、前記第１の基地局が、前記それぞれ異なるＡＢＳ送信電力下の前記セル範囲拡大バイアスの予め設定された初期範囲に従って計算されるネットワーク容量に従って、前記それぞれ異なるＡＢＳ送信電力下の最大化ネットワーク容量を伴う前記セル範囲拡大バイアスを決定する前記ステップは、
前記第１の基地局が、予め設定されたステップに従って、前記ネットワーク容量を計算するために、前記それぞれ異なるＡＢＳ送信電力下の前記セル範囲拡大バイアスの前記予め設定された初期範囲を横断するステップと、
前記第１の基地局が、前記ネットワーク容量に従って、前記それぞれ異なるＡＢＳ送信電力下の前記最大化ネットワーク容量を伴う前記セル範囲拡大バイアスを決定するステップと、を含む、
方法。
【請求項５】
請求項２乃至４のいずれか１項に記載の方法であって、
前記それぞれ異なるＡＢＳ送信電力下の前記セル範囲拡大バイアスの前記予め設定された初期範囲は、前記第２の基地局または前記ネットワーク管理システムによって予め設定される、
方法。
【請求項６】
請求項１乃至５のいずれか１項に記載の方法であって、該方法は、
前記第１の基地局が、前記それぞれ異なるＡＢＳ送信電力下の前記セル範囲拡大バイアスに対応する前記それぞれ異なるＡＢＳ送信電力に関する情報を、前記第２の基地局または前記ネットワーク管理システムへ送信するステップ、および／または、
マルチ・キャリア・システムにおいて、前記第１の基地局が、前記それぞれ異なるＡＢＳ送信電力下の前記セル範囲拡大バイアスに対応するキャリア情報を、前記第２の基地局または前記ネットワーク管理システムへ送信するステップ、をさらに備える、
方法。
【請求項７】
セル範囲拡大バイアスを構成するための方法であって、
第２の基地局またはネットワーク管理システムが、それぞれ異なるオールモスト・ブランク・サブフレーム（ＡＢＳ）送信電力下のセル範囲拡大バイアスを受信するステップと、
前記第２の基地局または前記ネットワーク管理システムが、前記それぞれ異なるＡＢＳ送信電力下の前記セル範囲拡大バイアスに従って、第１の基地局のためのそれぞれ異なるＡＢＳ送信電力下のセル範囲拡大バイアスを構成するステップと、を備え、
それぞれ異なるＡＢＳ送信電力下の前記セル範囲拡大バイアスは、前記第１の基地局によって決定される、方法。
【請求項８】
請求項７に記載の方法であって、第２の基地局またはネットワーク管理システムが、それぞれ異なるＡＢＳ送信電力下のセル範囲拡大バイアスを受信する前記ステップが、
前記第２の基地局がＸ２インターフェイスを介して、前記オールモスト・ブランク・サブフレームＡＢＳ送信電力下の前記セル範囲拡大バイアスを受信するステップ、または、
前記ネットワーク管理システムがノースバウンド・インターフェイスを介して、前記オールモスト・ブランク・サブフレームＡＢＳ送信電力下の前記セル範囲拡大バイアスを受信するステップ、を含む、
方法。
【請求項９】
セル範囲拡大バイアスを構成するためのデバイスであって、前記デバイスは第１の基地局であり、
それぞれ異なるオールモスト・ブランク・サブフレーム（ＡＢＳ）送信電力下のセル範囲拡大バイアスを決定するように適応した決定ユニットと、
前記それぞれ異なるオールモスト・ブランク・サブフレーム送信電力下の前記セル範囲拡大バイアスを第２の基地局またはネットワーク管理システムへ送信するように適応した送信ユニットと、を備えるデバイス。
【請求項１０】
請求項９に記載のデバイスであって、
前記決定ユニットは、ネットワーク容量最大化原理またはユーザ装置（ＵＥ）のセル間ハンドオーバ性能に従って、前記それぞれ異なるＡＢＳ送信電力下の前記セル範囲拡大バイアスを決定するように特に適応している、
デバイス。
【請求項１１】
請求項１０に記載のデバイスであって、
前記決定ユニットは、前記それぞれ異なるＡＢＳ送信電力下の前記セル範囲拡大バイアスの予め設定された初期範囲に従って計算されたネットワーク容量に従って、それぞれ異なるＡＢＳ送信電力下の最大化ネットワーク容量を伴うセル範囲拡大バイアスを決定するように特に適応しているか、または、
前記決定ユニットは、前記ＵＥの前記セル間ハンドオーバ性能の予め設定された閾値に従って、前記それぞれ異なるＡＢＳ送信電力下の前記セル範囲拡大バイアスの前記予め設定された初期範囲の最大値を決定するように特に適応している、
デバイス。
【請求項１２】
請求項９乃至１１のいずれか１項に記載のデバイスであって、
該デバイスは、
予め設定されたステップに従って、前記ネットワーク容量を計算するために、前記それぞれ異なるＡＢＳ送信電力下の前記セル範囲拡大バイアスの前記予め設定された初期範囲を横断するように適応した横断ユニットをさらに備え、
前記決定ユニットは、前記ネットワーク容量に従って、前記それぞれ異なるＡＢＳ送信電力下の前記最大化ネットワーク容量を伴う前記セル範囲拡大バイアスを決定するようにさらに構成されている、
デバイス。
【請求項１３】
請求項９乃至１２のいずれか１項に記載のデバイスであって、
前記送信ユニットは、前記それぞれ異なるＡＢＳ送信電力下の前記セル範囲拡大バイアスに対応する前記それぞれ異なるＡＢＳ送信電力に関する情報を、前記第２の基地局または前記ネットワーク管理システムへ送信するように特にさらに適応しているか、および／または、
前記送信ユニットは、マルチ・キャリア・システムにおいて、前記それぞれ異なるＡＢＳ送信電力下の前記セル範囲拡大バイアスに対応するキャリア情報を、前記第２の基地局または前記ネットワーク管理システムへ送信するように特にさらに適応している、
デバイス。
【請求項１４】
セル範囲拡大バイアスを構成するためのデバイスであって、前記デバイスは第２の基地局であり、
それぞれ異なるオールモスト・ブランク・サブフレーム（ＡＢＳ）送信電力下のセル範囲拡大バイアスを受信するように適応した受信ユニットと、
前記それぞれ異なるＡＢＳ送信電力下の前記セル範囲拡大バイアスに従って、第１の基地局のための、それぞれ異なるＡＢＳ送信電力下のセル範囲拡大バイアスを構成するように適応した構成ユニットと、を備え、
それぞれ異なるＡＢＳ送信電力下の前記セル範囲拡大バイアスは、前記第１の基地局によって決定される、デバイス。
【請求項１５】
請求項１４に記載のデバイスであって、
前記受信ユニットは、Ｘ２インターフェイスまたはノースバウンド・インターフェイスを介して、前記それぞれ異なるオールモスト・ブランク・サブフレームＡＢＳ送信電力下の前記セル範囲拡大バイアスを受信するようにさらに適応している、
デバイス。
【手続補正２】
【補正対象書類名】明細書
【補正対象項目名】００１１
【補正方法】変更
【補正の内容】
【００１１】
上述の技術的解決策から、本発明の実施形態は、以下の有利な点を備えていることがわかる。第１の基地局が、それぞれ異なるＡＢＳ送信電力下のＣＲＥバイアスを決定し、それぞれ異なるオールモスト・ブランク・サブフレームの下の前記セル範囲拡大バイアスを第２の基地局またはネットワーク管理システムに送信する。したがって、前記第１の基地局は、それぞれ異なるＡＢＳ送信電力下の前記ＣＲＥバイアスを決定し、前記ＣＲＥバイアスを前記第２の基地局または前記ネットワーク管理システムに送信し、前記第２の基地局または前記ネットワーク管理システムは、前記第１の基地局によって決定された前記ＣＲＥバイアスに従ってＣＲＥバイアスをそれぞれ構成し、前記ＣＲＥバイアスの構成がより適正になり、それによって、小さ過ぎるＣＲＥバイアスに起因するネットワーク資源の浪費、または、大き過ぎるＣＲＥバイアスに起因するＵＥの呼落ちを回避する。
【手続補正３】
【補正対象書類名】明細書
【補正対象項目名】００４４
【補正方法】変更
【補正の内容】
【００４４】
本発明の実施形態において、ピコ・セルは、ネットワーク容量最大化原理またはユーザ装置ＵＥのセル間ハンドオーバ性能に従って、それぞれ異なるＡＢＳ送信電力下のセル範囲拡大バイアスを決定する。したがって、それぞれ異なるＡＢＳ送信電力の下で、ネットワーク容量最大化またはＵＥのセル間ハンドオーバ性能が測定され、それぞれ異なるピコ・セルにおいて決定されるＣＲＥバイアスは、現在のピコ・セル・ネットワーク状態とより一致し、より適正に構成される。その後、決定されたＣＲＥバイアスはマクロ基地局へＸ２インターフェイスを介して送信され、または、ネットワーク管理システムへノースバウンド・インターフェイスを介して送信され、そのため、マクロ基地局またはネットワーク管理システムは、ピコ・セルのＣＲＥを、それぞれ異なるＡＢＳ出力電力下およびそれぞれ異なるピコ・セル内のＣＲＥバイアス間のマッピングに従って構成し、それによって、マクロ基地局またはネットワーク管理システムがピコ・セルのための構成を実行するときに、統一された方法で構成された小さすぎるＣＲＥバイアスに起因するネットワーク資源の浪費、または、統一された方法で構成された大きすぎるＣＲＥバイアスに起因するＵＥの呼落ちを回避する。
【手続補正４】
【補正対象書類名】明細書
【補正対象項目名】００５０
【補正方法】変更
【補正の内容】
【００５０】
本発明の実施形態において、第２の基地局は、それぞれ異なるＡＢＳ送信電力下のセル範囲拡大バイアスを受信する。具体的には、第２の基地局は、Ｘ２インターフェイスを介して、それぞれ異なるＡＢＳ送信電力下のセル範囲拡大バイアスを受信する。それぞれ異なるＡＢＳ送信電力下のＣＲＥバイアスは第１の基地局によって決定され、第２の基地局は、第１の基地局自身によって決定されたＣＲＥバイアスに従った構成を実行するので、ＣＲＥバイアスは、より適正であり、それによって、小さすぎるＣＲＥバイアスに起因するネットワーク資源の浪費、または、大きすぎるＣＲＥバイアスに起因するＵＥの呼落ちを回避する。
【手続補正５】
【補正対象書類名】明細書
【補正対象項目名】００５４
【補正方法】変更
【補正の内容】
【００５４】
本発明の実施形態において、決定ユニット５０１は、異ならるＡＢＳ出力電力下のセル範囲拡大バイアスを決定し、ここで、セル範囲拡大バイアスは、第２の基地局またはネットワーク管理システムによって、第１の基地局のセル範囲拡大バイアスを構成するために使用され、送信ユニット５０２は、それぞれ異なるＡＢＳ送信電力下のセル範囲拡大バイアスを第２の基地局またはネットワーク管理システムへ送信し、したがって、第１の基地局は、それぞれ異なるＡＢＳ送信電力下のＣＲＥバイアスを決定し、ＣＲＥバイアスを、第２の基地局またはネットワークシステムへ送信し、そして、第２の基地局またはネットワーク管理システムは、第１の基地局によって決定されたＣＲＥバイアスにそれぞれ従って、ＣＲＥバイアスを構成する。したがって、ＣＲＥバイアスの構成はより適正であり、それによって、小さすぎるＣＲＥバイアスに起因するネットワーク資源の浪費、または、大きすぎるＣＲＥバイアスに起因するＵＥの呼落ちを回避する。
【手続補正６】
【補正対象書類名】明細書
【補正対象項目名】００６２
【補正方法】変更
【補正の内容】
【００６２】
本発明の実施形態において、決定ユニット６０１は、ネットワーク容量最大化原理、または、ユーザ装置ＵＥのセル間ハンドオーバ性能に従って、それぞれ異なるＡＢＳ送信電力下のセル範囲拡大バイアスを決定する。したがって、それぞれ異なるＡＢＳ送信電力の下で、ネットワーク容量最大化またはＵＥのセル間ハンドオーバ性能が測定され、それぞれ異なるピコ・セルにおいて決定されるＣＲＥバイアスは、現在のピコ・セル・ネットワーク状態とより一致し、より適正に構成される。その後、送信ユニット６０２は、それぞれ異なるＡＢＳ出力電力下およびそれぞれ異なるピコ・セル内のＣＲＥバイアス間のマッピングに従ってピコ・セルのＣＲＥを構成するために、マクロ基地局へＸ２インターフェイスを介して、または、ネットワーク管理システムへノースバウンド・インターフェイスを介して、決定されたＣＲＥバイアスを送信する。これは、マクロ基地局またはネットワーク管理システムがピコ・セルのための構成を実行するとき、構成された小さ過ぎるＣＲＥバイアスに起因するネットワーク資源の浪費、または、構成された大きすぎるＣＲＥバイアスに起因するＵＥの呼落ちを回避する。
【手続補正７】
【補正対象書類名】明細書
【補正対象項目名】００６６
【補正方法】変更
【補正の内容】
【００６６】
本発明の実施形態において、それぞれ異なるＡＢＳ送信電力下のＣＲＥバイアスが第１の基地局によって決定され、第２の基地局が、第１の基地局自身によって決定されたＣＲＥバイアスに従って構成を実行するので、ＣＲＥバイアス構成はより適正であり、それによって、統一された方法で構成された小さすぎるＣＲＥバイアスに起因するネットワーク資源の浪費、または、統一された方法で構成された大きすぎるＣＲＥバイアスに起因するＵＥの呼落ちを回避する。
【国際調査報告】
2015516126.tif 000015
2015516126.tif 000016
2015516126.tif 000017
2015516126.tif 000018
2015516126.tif 000019